(57)【要約】【課題】  シートを保持する複数の保持部のうち、使用する保持部をシートサイズに基づいて選択する場合に、指定された綴じ処理に応じて適切な選択が行われるようにすることを目的とする。【解決手段】  ＭＦＰ１０１は、ジョブの実行指示を受け付ける（Ｓ１３０２）。保持部を自動選択するジョブの場合は、ジョブに指定された綴じ処理で実行できるシートが保持された保持部を自動選択における検索対象の保持部とする（Ｓ１４０４乃至１４０９）。検索対象の保持部に対してＡＰＳを実行し（Ｓ１４１１）、候補となる保持部があれば、当該保持部から印刷に使用するシートを給送して印刷を行う（Ｓ１３０７）。一方、候補となる保持部がなければ、所定のメッセージを表示してジョブを中止する（Ｓ１３０５及びＳ１３０６）。【選択図】  図１３
2019085270.tif 000002
【特許請求の範囲】
【請求項１】
シートを保持する保持部を複数備える画像形成装置であって、
シートサイズに基づいて、使用する保持部を前記複数の保持部から選択する選択手段と、
前記選択手段によって選択された保持部から給送されるシートに画像を印刷する印刷手段と、
画像が印刷されたシートを、針を使用して綴じる第１の綴じ手段と、
画像が印刷されたシートを、針を使用せずに綴じる第２の綴じ手段と、
前記第１の綴じ手段によってシートを綴じることが指定されている場合は、所定の種別のシートを保持する保持部が前記選択手段によって選択されることを制限せず、前記第２の綴じ手段によってシートを綴じることが指定されている場合は、前記所定の種別のシートを保持する保持部が前記選択手段によって選択されることを制限する制御手段と、
を備えることを特徴とする画像形成装置。
【請求項２】
前記制御手段は、前記選択手段によって使用する保持部が選択されない場合に、所定の通知を行うことを特徴とする請求項１に記載の画像形成装置。
【請求項３】
前記制御手段は、前記選択手段によって使用する保持部が選択されない場合に、前記印刷手段による印刷を中止することを特徴とする請求項１又は２に記載の画像形成装置。
【請求項４】
使用する保持部が予め指定されている場合は、前記選択手段による前記選択を行わずに、前記制御手段は、当該予め指定されている保持部から印刷に使用するシートを給送することを特徴とする請求項１乃至３のいずれか１項に記載の画像形成装置。
【請求項５】
コピーする原稿のサイズとコピーの設定に基づいて、前記シートサイズを決定する決定手段を更に備えることを特徴とする請求項１乃至４のいずれか１項に記載の画像形成装置。
【請求項６】
前記複数の保持部の少なくとも１つについて、前記選択手段による選択の対象とするか否かを設定する設定手段を更に備えることを特徴とする請求項１乃至５のいずれか１項に記載の画像形成装置。
【請求項７】
前記所定の種別のシートは、前記画像形成装置が印刷に使用できる種類のシートであって、且つ、前記第２の綴じ手段により綴じる事ができないものとして設定された種類のシートであることを特徴とする請求項１乃至６のいずれか１項に記載の画像形成装置。
【請求項８】
シートを保持する複数の保持部を備える画像形成装置の制御方法であって、
シートサイズに基づいて、使用する保持部を前記複数の保持部から選択する選択工程と、
前記選択工程で選択された保持部から給送されるシートに画像を印刷する印刷工程と、画像が印刷されたシートを、針を使用して綴じる第１の綴じ工程と、
画像が印刷されたシートを、針を使用せずに綴じる第２の綴じ工程と、
前記第１の綴じ工程でシートを綴じることが指定されている場合は、所定の種別のシートを保持する保持部が前記選択工程で選択されることを制限せず、前記第２の綴じ工程でシートを綴じることが指定されている場合は、前記所定の種別のシートを保持する保持部が前記選択工程で選択されることを制限する制御工程と、
を備えることを特徴とする画像形成装置の制御方法。
【請求項９】
請求項８に記載の画像形成装置の制御方法をコンピュータに実行させるためのプログラム。
【発明の詳細な説明】
【技術分野】
【０００１】
本発明は、綴じ処理の設定がなされた印刷ジョブを実行する画像形成装置に関するものである。
【背景技術】
【０００２】
従来、画像形成装置が実行可能な後処理機能の一つとして、印刷された複数のシートを整合して綴じる綴じ処理が知られている。
【０００３】
従来、シートを綴じる方法として、複数枚のシート束をステイプル針等の材を用いて綴じる綴じ手段を備えた画像形成装置がある。また、シートをステイプル針等の材を用いずに綴じる綴じ手段を備えた画像形成装置がある（例えば、特許文献１、特許文献２）。特許文献１の画像形成装置では、環境への配慮を考慮してステイプル針等の材用いずに歯形でシート束を挟み、圧力を加えることにより、シート間の繊維を絡めて綴じる綴じ手段が提案されている。また特許文献２の画像形成装置では、シート束に舌状片と、切り込み穴を形成し、舌状片を切り込み穴へ挿入することでシート束を綴じる綴じ手段が提案されている。
【０００４】
また、従来、画像形成装置が備えるシートを保持する複数の保持部（例えば、給紙カセット）から、印刷に使用する保持部をシートサイズに基づいて自動的に選択する機能を備える画像形成装置が知られている（例えば、特許文献３）。
【先行技術文献】
【特許文献】
【０００５】
【特許文献１】特開２０１０−１８９１０１号号公報
【特許文献２】特開２０１２−０２５４９９号公報
【特許文献３】特開平１０−２４００７８号公報
【発明の概要】
【発明が解決しようとする課題】
【０００６】
画像形成装置に複数の綴じ手段を備える事が考えられている。例えば、材を用いてシート束を綴じる綴じ手段と、材を用いずにシート束を綴じる綴じ手段の両方を備える画像形成装置が考えられる。
【０００７】
ここで、材を用いずにシート束を綴じる綴じ手段では、材を用いてシート束を綴じる綴じ手段に比べて、綴じるシートの表面性や坪量などの影響を受けやすく、綴じる事ができるシートの種類が少ないという特徴がある。
【０００８】
このような、異なる種類の綴じ処理を行う綴じ手段を備える画像形成装置において、使用する保持部を、綴じ処理の種類に関わらず共通の方法で選択するようにすると次のような問題がある。即ち、選択の対象とするシートの種類を多くすると、針を使用しない綴じ処理が指定されているにも関わらず、針を使用しない綴じ処理では綴じることのできない種類のシートが保持された保持部が選択される場合がある。この場合、ユーザが正しく綴じられた印刷物を期待しているにも関わらず、綴じる事のできない種類のシートが給送され、綴じ処理が行われずにシートが出力される恐れがある。
【０００９】
一方、選択の対象とするシートの種類を、針を使用しない綴じ処理で綴じることのできる種類のシートのみにすると、上記の問題は起こらない。しかしながら、シート束を綴じずに出力する場合や、針を使用する綴じ処理を行ってシート束を出力する場合に、選択できる保持部が少なくなってしまうという問題がある。
【００１０】
本発明は、上記の問題点に鑑みなされたものであり、シートを保持する複数の保持部のうち、使用する保持部をシートサイズに基づいて選択する場合に、指定された綴じ処理に応じて適切な選択が行われるようにすることを目的とする。
【課題を解決するための手段】
【００１１】
上記の目的を達成するために本発明の画像形成装置は、シートを保持する保持部を複数備える画像形成装置であって、シートサイズに基づいて、使用する保持部を前記複数の保持部から選択する選択手段と、前記選択手段によって選択された保持部から給送されるシートに画像を印刷する印刷手段と、画像が印刷されたシートを、針を使用して綴じる第１の綴じ手段と、画像が印刷されたシートを、針を使用せずに綴じる第２の綴じ手段と、前記第１の綴じ手段によってシートを綴じることが指定されている場合は、所定の種別のシートを保持する保持部が前記選択手段によって選択されることを制限せず、前記第２の綴じ手段によってシートを綴じることが指定されている場合は、前記所定の種別のシートを保持する保持部が前記選択手段によって選択されることを制限する制御手段と、を備えることを特徴とする。
【発明の効果】
【００１２】
本発明によれば、シートを保持する複数の保持部のうち、使用する保持部をシートサイズに基づいて選択する場合に、指定された綴じ処理に応じて適切な選択が行われるようになる。
【図面の簡単な説明】
【００１３】
【図１】印刷処理システムを示すブロック図である。
【図２】操作部１１６を示す図である。
【図３】ＭＦＰ１０１の断面図である。
【図４】シート処理部１２２を上方から見た断面図である。
【図５】針不使用３１４ｂによる綴じ処理を説明する図である。
【図６】パネル２０１に表示される操作画面を示す図である。
【図７】パネル２０１に表示される操作画面を示す図である。
【図８】パネル２０１に表示される操作画面を示す図である。
【図９】パネル２０１に表示される操作画面を示す図である。
【図１０】パネル２０１に表示される操作画面を示す図である。
【図１１】用紙情報データベースのデータモデルを示す図である。
【図１２】パネル２０１に表示される操作画面を示す図である。
【図１３】印刷処理の制御方法を説明するフローチャートである。
【図１４】印刷処理の制御方法を説明するフローチャートである。
【図１５】印刷処理の制御方法を説明するフローチャートである。
【発明を実施するための形態】
【００１４】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１５】
＜第１の実施形態＞
まず、本発明の第１の実施形態について説明する。図１は、本実施形態に係る印刷処理システムを示すブロック図である。本実施形態では画像形成装置の一例としてＭＦＰ（Ｍｕｌｔｉｆｕｎｃｔｉｏｎ  Ｐｅｒｉｐｈｅｒａｌ）１０１を、情報処理装置の一例としてＰＣ１０２を説明する。ＭＦＰ１０１とＰＣ１０２はネットワーク１００を介して通信可能に接続されている。
【００１６】
尚、図１では、１つの情報処理装置が印刷処理システムに設けられた場合を例示しているが、ＭＦＰ１０１と複数の情報処理装置がネットワーク１００を介して通信可能に接続されていてもよい。また、本実施形態の印刷処理システムは、ＭＦＰ１０１とＰＣ１０２を含む場合を例示しているが、これに限定されるものではない。例えば、ＭＦＰ１０１のみを印刷処理システムと呼んでもよい。
【００１７】
まずＰＣ１０２について説明する。ＰＣ１０２は、アプリケーションプログラム等の各種のプログラムを実行することができる。また、ＰＣ１０２には、印刷内容をＭＦＰ１０１に対して送信する印刷データに変換する機能を有するプリンタドライバがインストールされている。印刷を行いたいユーザは各種のアプリケーションなどから印刷指示を行うことができる。プリンタドライバは印刷指示に基づいてアプリケーションが出力するデータをＭＦＰ１０１が解釈可能な印刷データに変換し、ネットワーク１００に接続されたＭＦＰ１０１に印刷データを送信することができる。
【００１８】
なお、本実施形態では、情報処理装置の一例としてＰＣを例示しているが、例えばスマートフォンやタブレット端末などの携帯情報端末などであってもよい。なお、印刷データを画像形成装置に送信する方法は適宜変形できる。印刷用のアプリケーション又はドライバを介して画像形成装置に印刷データを送信するようにしてもよいし、印刷データをクラウドサーバ経由で画像形成装置へ送信するようにしてもよい。
【００１９】
次にＭＦＰ１０１について説明する。ＭＦＰ１０１はシート上の画像を読み取る読取機能、シートに画像を印刷する印刷機能を有する。また、ＭＦＰ１０１は、画像が印刷された複数のシートを綴じたり、複数のシートを揃えたりする後処理機能を有する。
【００２０】
なお、本実施形態では画像形成装置の一例としてＭＦＰ１０１を説明するが、例えば、読取機能を有さないプリンタ等の画像形成装置であってもよい。本実施例では、一例として画像形成装置が以下に説明する各種構成要件を備えるものとする。
【００２１】
ＣＰＵ１１１を含む制御部１１０は、ＭＦＰ１０１全体の動作を制御する。ＣＰＵ１１１は、ＲＯＭ１１２又はストレージ１１４に記憶された制御プログラムを読み出して、読取制御や印刷制御などの各種制御を行う。ＲＯＭ１１２は、ＣＰＵ１１１で実行可能な制御プログラムを格納する。また、ＲＯＭ１１２は、ブートシーケンスやフォント情報などを記憶する。ＲＡＭ１１３は、ＣＰＵ１１１の主記憶メモリであり、ワークエリア、ＲＯＭ１１２及びストレージ１１４に格納された各種制御プログラムを展開するための一時記憶領域として用いられる。ストレージ１１４は、画像データ、印刷データ、各種プログラム、及び各種設定情報を記憶する。本実施形態ではストレージ１１４としてＨＤＤ等の補助記憶装置を想定しているが、ＨＤＤの代わりにＳＳＤに代表されるＦＬＡＳＨ  ＤＩＳＫを用いるようにしても良い。
【００２２】
なお、本実施形態のＭＦＰ１０１では、１つのＣＰＵ１１１が１つのメモリ（ＲＡＭ１１３）を用いて後述するフローチャートに示す各処理を実行するものとするが、他の様態であっても構わない。例えば複数のＣＰＵ、ＲＡＭ、ＲＯＭ、及びストレージを協働させて後述するフローチャートに示す各処理を実行することもできる。また、ＡＳＩＣやＦＰＧＡ等のハードウェア回路を用いて一部の処理を実行するようにしてもよい。
【００２３】
操作部Ｉ／Ｆ１１５は、操作部１１６と制御部１１０を接続する。操作部１１６は、ユーザに対して情報を表示したり、ユーザからの指示を入力したりする。図２は、操作部１１６を示す外観図である。操作部１１６は、後述する操作画面を表示するパネル２０１及びハードキー入力部２０２からなる。パネル２０１は例えばタッチパネルディスプレイである。ハードキー入力部２０２は、設定ボタン２１１及びスタートボタン２１２などの各種のハードキーを有する。ユーザはパネル２０１に表示されているキーをタッチする、又はハードキー入力部２０２の各種ハードキーを押下して指示を入力する。なお、パネル２０１は、タッチパネル機能を有さないディスプレイであってもよい。この場合、タッチ操作によるキー入力に代えて、ディスプレイに表示されるキーを選択するためのスクロールキー及び当該キーを決定するための決定キーをハードキー入力部として備えればよい。操作部１１６は、パネル２０１及び入力部２０２を介したユーザからの指示を受け付け、必要に応じてパネル２０１に操作画面を表示する。
【００２４】
読取部Ｉ／Ｆ１１７は、読取部１１８と制御部１１０を接続する。読取部１１８はシート上の画像を読み取って、その画像をバイナリーデータなどの画像データに変換する。読取部１１８によって生成された画像データは読取部Ｉ／Ｆ１１７を介して圧縮伸長部１２４に転送される。圧縮伸長部１２４で圧縮された画像データは、制御部１１０のストレージ１１４又はＲＡＭ１１３に格納される。格納された画像データは、通信部Ｉ／Ｆ１２３を介して外部装置に送信されたり、シート上に印刷されたりする。
【００２５】
印刷部Ｉ／Ｆ１１９は、印刷部１２０と制御部１１０を接続する。印刷すべき画像データ（印刷対象の画像データ）は印刷部Ｉ／Ｆ１１９を介して制御部１１０から印刷部１２０に転送される。印刷部１２０は制御部１１０を介して制御コマンド及び印刷すべき画像データを受信し、当該画像データに基づいた画像をシート上に印刷する。
【００２６】
シート処理部Ｉ／Ｆ１２１は、シート処理部１２２と制御部１１０を接続する。シート処理部１２２は制御部１１０を介して制御コマンドを受信し、その制御コマンドに従って印刷部１２０により印刷されたシートに後処理を施す。例えば、複数のシートを揃える、複数のシートを綴じるなどの後処理を実行する。また、シート処理部が備える後処理の機能や後処理の能力は、予め（例えば、ＭＦＰ１０１の起動時など）シート処理部Ｉ／Ｆ１２１を介して制御部１１０に通知され、ストレージ１１４又はＲＡＭ１１３に通知される。本実施形態では、シート処理部１２２は、少なくともステイプル針などの材を使用してシートを綴じる綴じ処理（以降、針を使用する綴じ処理）と材を使用せずにシートを綴じる綴じ処理（以降、針を使用しない綴じ処理）を実行可能である。
【００２７】
また、制御部１１０は、通信部Ｉ／Ｆ１２３を介してネットワーク１００に接続される。通信部Ｉ／Ｆ１２３は、ネットワーク１００上の外部装置に画像データや情報を送信したり、ネットワーク１００上の情報処理装置から印刷データや情報を受信したりする。更に、通信部Ｉ／Ｆ１２３はＵＳＢなどのローカルインタフェースを介して外部装置と通信したりする。通信部Ｉ／Ｆ１２３によって受信された印刷データはストレージ１１４に格納される。
【００２８】
通信部Ｉ／Ｆ１２３を介して受信した印刷データは、ストレージ１１４又はＲＯＭ１１２に格納された印刷データを解析するためのソフトウェアモジュール（ＰＤＬ解析部、不図示）によって解析される。ＰＤＬ解析部は、ストレージ１１４に格納された様々な種類のページ記述言語（ＰＤＬ）で表現された印刷データを解析する。印刷データは印刷属性に関するコードと、描画に関するコードからなる。ＰＤＬ解析部は印刷データを解析して得られた印刷属性に関する設定（印刷属性情報）をＲＡＭ１１３又はストレージ１１４に一時的に格納する。また、ＰＤＬ解析部は、印刷データに含まれた描画コードを解析して、中間コードへ変換する。
【００２９】
また、ＰＤＬ解析部は、ＰＤＬを解析した結果から、出力するシート枚数などの計算などを行い印刷属性情報としてＲＡＭ１１３又はストレージ１１４に格納する。ＰＤＬ解析部によって取得又は計算された印刷属性情報は印刷データに基づいた印刷処理やシート処理部１２２による後処理を行う際に適宜参照される。
【００３０】
また、ＰＤＬ解析部で生成された中間コードはＲＩＰ１２５によって画像データに変換される。ＲＩＰ１２５は、ＰＤＬ解析部によって生成された中間コードに対してレンダリング処理を行い、印刷部１２０で印刷する画像データを生成する。ＲＩＰ１２５によって生成された画像データは、印刷設定に基づいて印刷部１２０で印刷される。
【００３１】
次に、シートへの印刷処理及び後処理について説明する。図３は、ＭＦＰ１０１の断面図である。図３では、シート処理部１２２はＭＦＰ１０１の筺体内部に配置されている。ただし、シート処理部１２２の配置は図３の例に限らない。例えば、シート処理部１２２がＭＦＰ１０１に隣接するように接続されていてもよい。また、例えば、本実施形態のようにＭＦＰ１０１自身が、標準装備として、シート処理部１２２を具備した装置構成であってもよいし、シート処理部１２２をオプションとして接続した装置構成であってもよい。
【００３２】
カセット３０１ａ、３０１ｂ、３０１ｃ、及び３０１ｄは、シートを保持する。図３では、ＭＦＰ１０１は４つのカセットを有しているが、カセットの数は４つに限らない。例えば、手差しトレイ（不図示）や画像形成装置にオプションとして接続できる他の給紙デッキ等を備えていてもよい。以下、カセットや手差しトレイ、給紙デッキなどを「保持部」と呼ぶ。
【００３３】
なお、ＣＰＵ１１１は、ユーザにより印刷に使用する保持部が指定された場合は、ユーザにより指定された保持部に保持されたシートを給送して印刷を行う。また、ＣＰＵ１１１は、ユーザにより印刷に使用する保持部が指定されない場合には、印刷物の出力サイズ（シートサイズ）などに基づいて、複数の保持部のいずれからシートを給送するかを、自動的に選択することもできる。以下、複数の保持部のいずれからシートを給送するかを自動的に選択することをＡＰＳ（Ａｕｔｏ  Ｐａｐｅｒ  Ｓｅｌｅｃｔ）と呼ぶ。この場合、選択された保持部に保持されたシートを給送して印刷を行うことができる。
【００３４】
給送ローラ３０３は各保持部に保持されているシートを印刷部１２０に給送する。印刷部１２０は、給送されてきたシートの第１面に画像を印刷する。印刷部１２０は、インクをシートに吐出して画像を印刷するインクジェット方式を採用していてもよい。また、感光体上に静電潜像を形成した後トナーにより現像し、そのトナー像をシートに転写し、転写されたトナー像を定着することにより画像を印刷する電子写真方式を採用していてもよい。
【００３５】
片面印刷の場合には、印刷されたシートは搬送ローラ３０５及び３０６に導かれてシート処理部１２２に搬送され、中間トレイ３２０へ排出される。両面印刷の場合には、印刷部１２０で第１面が印刷されたシートは搬送ローラ３０８に導かれ、反転パス３１０に搬送される。シートの後端が搬送ローラ３０９に到達すると、搬送ローラ３０９は逆回転し始め、シートは両面印刷用搬送パス３１２を介して印刷部１２０に搬送される。印刷部１２０はシートの第２面に画像を印刷する。両面印刷されたシートは搬送ローラ３０５及び３０６に導かれ、中間トレイ３２０へ排出される。
【００３６】
中間トレイ３２０は、シート搬送方向の下流側（図の左側）を鉛直方向の上方に、上流側（図の右側）を鉛直方向の下方に位置させることで傾斜が設けられており、複数のシートを保持することができる。また、中間トレイ３２０は、下流側に配された１組の上部及び下部の束排出ローラ３１８ａ、３１８ｂからなる束排出ローラ対３１８と、中間部上方に配される引込みパドル３１５とを有している。上部束排出ローラ３１８ａは、ガイド３１７に支持されている。
【００３７】
このガイド３１７は、モータ（不図示）により上下に移動可能に構成されている。このため、ガイド３１７に設けられた上部束排出ローラ３１８ａが、ガイド３１７の昇降動作に伴って下部束排出ローラ３１８ｂに対して離接可能となっている。従って、中間トレイに保持されたシート束の厚さに応じて、これら束排出ローラ対３１８のローラの間隔を調整可能になっている。
【００３８】
ＣＰＵ１１１は、上部束排出ローラ３１８ａに対して下部束排出ローラ３１８ｂを離間した状態となるようにガイド３１７を上部に移動させた状態で、搬送ローラ３０６によって排出されるシートＰを中間トレイ３２０上に受け入れる。
【００３９】
また、中間トレイ３２０上の、シート搬送方向に直交する幅方向の手前側と奥側には、整合部材３２１が設けられる。整合部材３２１はそれぞれ、前整合モータ（不図示）および後整合モータ（不図示）によって幅方向に移動する。ここで、「手前」とは、図３に記載されている向きでＭＦＰ１０１を見て紙面手前になる部分を言い、「奥」とは、紙面奥の部分を言う。引込みパドル３１５は、回転軸を中心としてストッパ３１６側へシートを押圧する方向（例えば図３においては反時計周り）に回転する。
【００４０】
搬送ローラ３０６に導かれ、中間トレイ３２０に排出されたシートＰは、中間トレイ３２０の傾斜及び引込みパドル３１５のシートを押圧する作用によって、中間トレイ３２０の積載面上、又は中間トレイ３２０に積載されたシート上を滑降する。中間トレイ３２０上に排出されたシートは、滑降中に整合部材３２１によって整合処理が施され、シート後端（排出方向上流端）がストッパ３１６に突き当たることで停止する。
【００４１】
中間トレイ３２０上で整合されたシート束は、必要に応じて針使用３１４ａ又は針不使用３１４ｂによる綴じ処理が行われる。３１４ａ及び３１４ｂは中間トレイ３２０上に保持されたシート束の搬送方向に対する後端部を綴じることができる。なお、本実施形態ではシート束の搬送方向に対する後端部を綴じるようにしているが、これに限定されず、例えば、中間トレイ３２０上に保持されたシート束の搬送方向に対する先端部を綴じるようにしてもよい。
【００４２】
シート処理部１２２によって綴じ処理などの後処理が行われたシート束は、排出部３０７に排出される。具体的には、束排出ローラ３１８ａを中間トレイ３２０上の最上部のシートに当接させるようにガイド３１７を移動させ、当該当接した状態で、束排出ローラ対３１８を回転駆動させることにより、後処理を終えたシート束を排出部３０７上に排出する。
【００４３】
図４は、シート処理部１２２を上方から見た断面図であり、３１４ａ又は３１４ｂの綴じ処理を実行する位置を説明するための図である。４０３は複数のシートを示す。シート処理部１２２は制御部１１０から受信した綴じ処理に関する情報に従って複数のシートを綴じることができる。針使用３１４ａは不図示のモータにより、図中の矢印４１０に示す方向にスライドできるように構成されている。ＣＰＵ１１１は不図示のモータを駆動して、針使用３１４ａを搬送方向と直交する方向に移動してシート束の搬送方向に対する後端部のコーナーを綴じたり、後端の２箇所を綴じたりする。従って、３１４ａの移動と印刷する画像の上下反転（１８０度回転）によって搬送方向から見て直交する辺の２箇所を綴じることができる。また同様に、シートの４隅（左上、右上、右下、左下）のいずれか１箇所のコーナーを綴じることができる。
【００４４】
また、針使用３１４ａは、シート束を綴じる材としてステイプル針（不図示）を打ち込むことで綴じ処理を行う。針使用３１４ａにはステイプル針を装填したカートリッジ（不図示）が格納される。ユーザはカートリッジを交換することで針を補充することができる。
【００４５】
一方、針不使用３１４ｂはＭＦＰ１０１の正面から見て、奥側の位置に固定されている。従って、針不使用３１４ｂによりシート束を綴じる場合は、以下に示すような処理を行う。ＣＰＵ１１１は、整合部材３２１を針不使用３１４ｂが配置される「奥」方向にスライドする。また、ＣＰＵ１１１は、印刷されたシート束を中間トレイの奥側に排出するように制御する。針不使用３１４ｂは、整合部材３２１により整合されたシート束の後端部の奥側１箇所を綴じる。本実施形態では、針不使用３１４ｂでシート束を綴じる場合、印刷する画像の回転と、印刷の順序を組み合わせることで印刷物の４隅（右上、左上、左下、右下）に対するコーナー綴じを行うことができる。
【００４６】
なお、本実施形態では、針不使用３１４ｂが奥側の位置に固定されている場合を例示したがこれに限定されるものではない。例えば、針不使用３１４ｂは針使用３１４ａのように移動して、辺の２箇所や各コーナーを綴じるものであってもよい。
【００４７】
図５（ａ）、（ｂ）は針不使用３１４ｂによる綴じ処理を示す図である。本実施形態の針不使用３１４ｂでは、複数のシートの上下から圧力をかけて、シート束４０３を密着させて綴じる。従って、材を用いずに綴じ処理を行うことができる。図５（ａ）は、針不使用３１４ｂがシート束４０３に綴じ処理を実行する位置の近辺を示すものである。上金型５０１は複数のシートを上から押さえつける。上金型５０１には複数の凸形状の刃５０２が並んでいて、それぞれの刃５０２がシートに圧力をかける。下金型５０５は複数のシートを下から押さえつける。下金型５０５には、複数の刃５０２に対応した複数の凹部５０４が並んでいて、それぞれの凹部５０４が刃５０２を受け止める。
【００４８】
図５（ｂ）は、上金型５０１と下金型５０５が複数のシートを上下方向から加圧した状態を示す。上金型５０１と下金型５０５が複数のシートを加圧することで、シート間の繊維を絡めて綴じることが可能になっている。また、複数の刃５０２と複数の凹部５０４がシートの複数箇所を加圧するため、シートがはがれにくくなっている。
【００４９】
次に、本実施形態におけるＡＰＳに関する設定について説明する。ユーザは操作部１１６の設定ボタン２１１を押下して、ＭＦＰ１０１の備える機能に関する設定や、各種の事象が発生した場合のＭＦＰ１０１の動作などを変更することができる。図６（ａ）、（ｂ）及び図７は、ＣＰＵ１１１が操作部１１６のパネル２０１に表示する操作画面の一例を示す図である。
【００５０】
図６（ａ）はシートの給送動作に関する設定画面を示すものである。ユーザは図６（ａ）に示す各項目を選択して、ＭＦＰ１０１のシートの給送動作に関する設定を行うことができる。設定キー６０１は、ＡＰＳ及びオートカセットチェンジ（ＡＣＣ：Ａｕｔｏ  Ｃａｓｓｅｔｔｅ  Ｃｈａｎｇｅ）における自動選択の対象となる保持部を設定するためのキーである。なお、ＡＰＳは、印刷処理を行う際に印刷物の出力サイズ（シートサイズ）などに基づいて、使用する保持部を自動的に選択する機能である。また、ＡＣＣは、印刷中にシート切れとなった場合に、同じサイズのシートが保持されている他の保持部を自動選択して印刷を継続する機能である。
【００５１】
ユーザは設定キー６０１をタッチして、自動選択の対象となる保持部を設定することができる。ＣＰＵ１１１は、設定キー６０１がタッチされた場合は、自動選択の対象となる保持部を設定するためのポップアップ画面を表示する。図６（ｂ）はパネル２０１に表示されるポップアップ画面を例示するものである。
【００５２】
ユーザは図６（ｂ）の画面を介して、コピー処理、印刷データに基づく印刷処理又はＦＡＸ受信処理などＭＦＰ１０１が備える機能毎に自動選択の対象となる保持部を設定することができる。コピーキー６０２は、コピー処理において自動選択の対象となる保持部を設定するためのキーである。本実施形態では、以降コピー処理の場合を例として説明する。また、ＯＫキー６１７は、自動選択に関する設定を終了し、ポップアップ画面を閉じる際に使用するキーである。
【００５３】
ＣＰＵ１１１は、コピーキー６０２が選択された場合、コピー処理において自動選択の対象となる保持部を設定するための画面に遷移する。図７は、コピー処理における自動選択の対象となる保持部を設定するための設定画面を示すものであり、３つ目の保持部（カセット３０１ｃ）及び４つ目の保持部（カセット３０１ｄ）が自動選択の対象となる場合を例示している。ユーザは図７の画面を介してＭＦＰ１０１が備える保持部毎に自動選択の対象とするか否かを設定することができる。本実施形態のＭＦＰ１０１は、図３で説明したように４つの保持部を有するため、４つの保持部毎に自動選択の対象とするか否かを切り替えることができる。
【００５４】
ＯＮボタン７０１は、対象の保持部を自動選択の対象とする場合に使用するキーであり、ＯＦＦボタン７０２は対象の保持部を自動選択の対象としない場合に使用するキーである。これらのＯＮボタン７０１及びＯＦＦボタン７０２は排他の設定であり、どちらか一方のボタンが選択状態となる。また、ＣＰＵ１１１は、１つ以上の保持部が自動選択の対象となるように設定を受け付ける。具体的には、例えば、ＣＰＵ１１１は、全ての保持部に対して自動選択の対象としない設定がなされた場合（全ての保持部がＯＦＦ状態にされた場合）、ＯＫキー７１７が押下できないように制御する。
【００５５】
なお、本実施形態では、ＡＰＳ及びＡＣＣを実行する場合に、図６及び図７の画面を介して自動選択の対象として設定された保持部であって、且つその保持部にＡＰＳの対象とする種類のシートが保持された保持部を自動選択の対象としている。ＡＰＳの対象とする種類のシートの一例としては、薄紙、普通紙、坪量が比較的小さい厚紙、再生紙又はユーザが定義したシートなど、広く印刷に使用される種類のシートが挙げられる。これは、自動選択の対象として設定された保持部であっても、タブ紙又はラベル用紙などの種類のシートが保持された保持部を自動選択して印刷を行うと却ってユーザの意図とは異なる出力となる可能性が高いためである。
【００５６】
図１１は、本実施形態におけるシート情報データベースのデータモデルを示す図である。シート情報データベースにはＭＦＰ１０１で利用できるシートの種類毎にシートの坪量や表面性などのシートに関する情報が参照可能に格納される。また、シートの種類毎に、コピー処理や印刷処理における各種設定を適用するか否かに関する情報が参照可能に格納される。
【００５７】
なお、図１１は、シート情報データベースの一部を例示するものである。図１１では、５種類のシートを示しているが、図示しないその他のシートについても管理しているものとする。また同様に、図示しないその他の設定が可能か否かに関する情報についても適宜管理しているものとする。
【００５８】
本実施形態では、コピー処理においてＡＰＳの対象とするシートの種類の一例として、普通紙１、薄紙１、厚紙１があるものとする。また、コピー処理においてＡＰＳの対象としないシートの種類の一例として厚紙２、ラベル紙があるものとする。なお、これらのシート情報データベースは後述するフローチャートにおいても適宜参照される。
【００５９】
ところで、本実施形態のＭＦＰ１０１は、による綴じ処理を行う際に綴じ不良が発生しないよう、の種別に応じて、綴じ処理を行えるシートの種類を制限している。前述したように針不使用３１４ｂによる針を使用しない綴じ処理では、シート同士を圧着して綴じる。従って、針使用３１４ａによる針を使用する綴じ処理に比べて、シートの表面性や坪量などの影響を受けやすい。従って、針を使用しない綴じ処理では、針を使用する綴じ処理に比べて綴じ処理を行うことのできるシートの種類がより制限される。例えば図１１の項目１１１３に示すように針を使用しない綴じ処理では、シート束の綴じ強度を鑑みて、厚紙に対して綴じ処理を行わないように制限する。
【００６０】
しかしながら、ＡＰＳによって保持部を自動選択する場合、針を使用しない綴じ処理では綴じることのできない種類のシート（例えば図１１における厚紙１）が保持された保持部が自動選択される場合がある。この場合、ユーザが正しく綴じられた印刷物を期待しているにも関わらず、綴じる事のできない種類のシートが給送され、綴じ処理が行われずにシートが出力される恐れがある。
【００６１】
一方、ＡＰＳによる自動選択の対象となるシートを、針を使用しない綴じ処理で綴じることのできる種類（例えば、普通紙１、薄紙１）のみにすると、上記の問題は起こらない。しかしながらシート束を綴じずに出力する場合や、針を使用する綴じ処理を行ってシート束を出力する場合に、ＡＰＳの対象とするシートの種類が少なくなってしまうという問題がある。
【００６２】
これらの問題を鑑みて、本実施形態では、複数の保持部から印刷に使用する保持部を自動選択する際に、指定された綴じ処理に応じて保持部を選択する制御を行うことについて説明する。
【００６３】
ユーザがＭＦＰ１０１の使用を開始すると、実行する処理を選択するためのホーム画面（不図示）が表示される。ユーザは操作部１１６を介してコピー機能や送信機能などのＭＦＰ１０１が備える機能を選択することができる。
【００６４】
図８は、ＣＰＵ１１１が操作部１１６のパネル２０１に表示する操作画面の一例を示す図である。ユーザがホーム画面（不図示）を介してコピー機能を選択すると、ＣＰＵ１１１はパネル２０１に図８に示すコピージョブの設定画面を表示する。
【００６５】
なお、コピージョブの設定は、多数の設定項目がある。そのため同一画面内で全ての設定を行うことは困難である。従って設定項目ごとに個別の設定画面に遷移して、複数の機能の設定を行う。
【００６６】
仕上げキー８０１は、コピー処理に対して仕上げ処理を設定する場合に使用するキーである。図９（ａ）、（ｂ）は、仕上げ処理に関する設定画面の一例を示す図である。ＣＰＵ１１１は、仕上げキー８０１がタッチされた場合は、仕上げ処理を設定する画面を表示する。図９（ａ）は仕上げ処理を設定する画面の一例を示すものであり、針なし綴じキー９０４が選択された状態を示している。キー９０１、キー９０３、キー９０４は排他設定であり、いずれか１つのキーを選択できる。また、いずれのキーも選択されない場合は、仕上げ処理を行わずに出力する設定となる。
【００６７】
仕上げ処理とは、出力される印刷物に対する加工処理全般を指す。ここでは綴じ処理に関係する加工処理を例示しているが、これに限定されず、他の加工処理（例えば、グループソート、シフトソートなど）などの設定を含んでいてもよい。
【００６８】
コーナー綴じキー９０１は、針を使用して印刷物の４隅（右上、左上、左下及び右下）のコーナーのいずれかに綴じ処理を行う場合に使用するキーである。また、ダブル綴じキー９０３は、針を使用して印刷物のいずれか１辺の２箇所に綴じ処理を行う場合に使用するキーである。針なし綴じキー９０４は針を使用せずに印刷物の４隅（右上、左上、左下及び右下）のコーナーのいずれかに綴じ処理を行う場合に使用するキーである。
【００６９】
次へキー９０５は、選択された仕上げ処理の詳細設定を行う場合に使用するキーである。ＣＰＵ１１１は次へキー９０５がタッチされた場合は、仕上げ処理の詳細設定画面に遷移する。また、設定取消キー９１６は、図９（ａ）、（ｂ）の画面を介してなされた仕上げ処理に関する設定を破棄する場合に使用するキーである。ＣＰＵ１１１は設定取消キー９１６がタッチされた場合は、仕上げ処理に関する設定を破棄して、コピー機能の設定画面（図８）に遷移する。
【００７０】
ＣＰＵ１１１は、コーナー綴じキー９０１又は針なし綴じキー９０４が選択された状態で、次へキー９０５がタッチされた場合、図９（ｂ）に示すような４隅のいずれか１箇所を選択するための画面を介して綴じ位置を設定する。
【００７１】
図９（ｂ）はコーナー綴じキー９０１又は針なし綴じキー９０４が選択された状態で、次へキー９０５がタッチされた場合に表示する仕上げ処理の詳細設定画面の一例を示すものであり、左上コーナーが選択された状態を図示している。ユーザは図９（ｂ）の画面を介して綴じ位置を指定する。左上、右上、右下、左下に対応するキーは排他設定であり、いずれか１つのキーを選択できる。
【００７２】
ＯＫキー９１７は、図９（ａ）、（ｂ）の画面を介して選択された仕上げ処理の設定を適用する場合に使用するキーである。ＣＰＵ１１１は、ＯＫキー９１７がタッチされた場合は、図９（ａ）、（ｂ）の画面を介してなされた仕上げ処理に関する設定をコピーの設定として適用して、コピーの設定画面（図８）に戻る。
【００７３】
なお、本実施形態では、図９（ａ）に示す画面と、図９（ｂ）に示す画面に分けて仕上げ処理の設定を行う場合を例示しているが、これに限定されず、綴じ処理の種類と綴じ位置を指定できるものであればよい。例えば、１つの画面内で綴じ処理の種類と綴じ位置の指定を行うようにしてもよいし、綴じ位置の選択ウィンドウをポップアップ表示するようにしてもよい。
【００７４】
図８の説明に戻り、用紙選択キー８０２は、印刷に使用する保持部を選択する場合に使用するキーである。ＣＰＵ１１１は、用紙選択キー８０２がタッチされた場合は、印刷に使用する保持部を選択する画面を表示する。図１０（ａ）、（ｂ）は、ＣＰＵ１１１が操作部１１６のパネル２０１に表示する操作画面の一例を示す図である。
【００７５】
図１０（ａ）は、印刷に使用する保持部を選択するための画面を示し、仕上げ設定として針を使用する綴じ処理が指定された場合又は仕上げ設定として綴じ処理が指定されていない場合に表示する画面の一例である。
【００７６】
ユーザは図１０（ａ）の画面を介して印刷に使用する保持部を指定することができる。領域１０１０はユーザによって選択可能に表示された保持部を示しており、ユーザは各行をタッチすることで、印刷に使用する保持部を指定することができる。例えば、針を使用する綴じ処理では、図１１の項目１１１１及び項目１１１２に示すように普通紙１、薄紙１、厚紙１、厚紙２に同じ綴じ処理を実行できるため全ての保持部が選択可能となる。
【００７７】
一方、図１０（ｂ）は、印刷に使用するシートを選択するための画面を示し、仕上げ設定として、針を使用しない綴じ処理が指定された場合に表示する画面の一例を示す。領域１０１０はユーザによって選択可能に表示された保持部を示しており、領域１０１１はユーザによって選択不可能に表示された保持部を示している。ユーザは、選択可能に表示された行をタッチすることで、印刷に使用する保持部を指定することができる。例えば、針を使用しない綴じ処理では、図１１の項目１１１３に示すように普通紙１、薄紙１には綴じ処理を実行することができるが、厚紙１、厚紙２には綴じ処理を実行することができない。従ってＣＰＵ１１１は、針を使用しない綴じ処理が指定された場合は、針を使用しない綴じ処理を実行できないシートが保持された保持部を選択できないように表示する。
【００７８】
具体的には、ＣＰＵ１１１は図１０（ａ）、（ｂ）の画面を表示する際に、保持部に保持されたシートの種類を取得し、取得したシートの種類に基づいてシート情報データベース（図１１）を参照する。また、ＣＰＵ１１１はコピーの設定画面を介してなされた各種設定と、シート情報データベースを比較して、保持部を選択可能に表示するか、選択不可能に表示するかを決定する。
【００７９】
また、自動キー１００２は、ＡＰＳにより保持部を自動選択する場合に選択するキーである。なお、本実施形態では、コピーのデフォルト設定として、ＡＰＳによる保持部の自動選択を行う設定がなされているものとする。即ち、ユーザにより保持部が指定されない場合は、図６（ａ）、（ｂ）及び図７の画面を介して予めなされた設定に基づいて保持部の自動選択が行われる。
【００８０】
ＯＫキー１０１７は、画面を介してなされた印刷に使用する保持部（シート）の設定を適用する場合に使用するキーである。ＣＰＵ１１１は、ＯＫキー１０１７がタッチされた場合は、図１１を介してなされた保持部に関する設定をコピーの設定として適用して、コピーの設定画面（図８）に戻る。
【００８１】
次に本実施形態のコピー処理の制御について説明する。図１３及び図１４は、コピー処理の制御を示すフローチャートである。図１３及び図１４に示すフローチャートの各動作（ステップ）は、ＣＰＵ１１１がＲＯＭ１１２又はストレージ１１４に記憶された制御プログラムをＲＡＭ１１３に読み出し、実行することにより実現される。ＣＰＵ１１１は、ユーザがホーム画面（不図示）を介してコピー機能が選択された場合に図１３及び図１４のフローチャートに対応する制御を実行する。
【００８２】
ステップＳ１３０１では、ＣＰＵ１１１はパネル２０１を介してコピージョブの設定を受け付ける。コピージョブの設定では前述した綴じ処理に関する設定や、印刷に使用するシートに関する印刷に使用する保持部の指定を受け付ける。また、その他印刷部数の設定及び倍率の設定などユーザの指示に応じて様々な設定を受け付ける。
【００８３】
ステップＳ１３０２では、ＣＰＵ１１１はスタートボタン２１２が押下されたか判断する。スタートボタン２１２が押下されると、ステップＳ１３０３に進み、スタートボタン２１２が押下されない場合は、ステップＳ１３０１に戻り、パネル２０１を介したコピージョブの設定を受け付ける。
【００８４】
ステップＳ１３０３では、ＣＰＵ１１１は印刷に使用する保持部を決定する。詳細は図１４のフローチャートで説明する。ステップＳ１４０１では、ＣＰＵ１１１は、保持部を自動で決定する設定がなされているか否かを判断する。コピージョブの設定としてＡＰＳにより保持部を自動選択する設定がなされていれば、ステップＳ１４０３に進む。一方、コピージョブの設定として印刷に使用する保持部が指定されていればステップＳ１４０２に進む。ステップＳ１４０２では、ＣＰＵ１１１はコピー設定として指定された保持部を選択して、ステップＳ１４１４に進む。
【００８５】
ステップＳ１４０３では、ＣＰＵ１１１は、コピージョブの設定及び読取部１１８にセットされた原稿のサイズに基づいて、印刷物をコピーする際に最適となるシートのサイズを決定する。ステップＳ１４０４では、ＣＰＵ１１１はコピージョブの設定として針を使用しない綴じ処理が指定されているか判断する。針を使用しない綴じ処理が指定されている場合は、ステップＳ１４０５に進み、針を使用しない綴じ処理が指定されていない場合はステップＳ１４０７に進む。
【００８６】
ステップＳ１４０５では、ＣＰＵ１１１は、自動選択の対象として設定された保持部に保持されたシートの種類を取得する。なお、図７に示した自動選択の対象を例にすると、３つ目の保持部に保持された厚紙１と４つ目の保持部に保持された厚紙２が取得される。
【００８７】
次に、ＣＰＵ１１１は、取得したシートの種類に基づいてシート情報データベースを参照し、針を使用しない綴じ処理が行えるシートであるか否かを判断する。保持部に保持されたシートが針を使用しない綴じ処理が行える種類のシートであれば、当該シートが保持された保持部を後述するＡＰＳ処理の検索対象とする。図７に示した自動選択の対象を例にすると、厚紙１と厚紙２は針を使用しない綴じ処理において綴じる事のできない種類のシートであるため、ＡＰＳ処理の検索対象の保持部が存在しないこととなる。
【００８８】
一方、ステップＳ１４０７では、ＣＰＵ１１１は、コピージョブの設定として針を使用する綴じ処理が指定されているか判断する。針を使用する綴じ処理が指定されている場合はステップＳ１４０８に進み、針を使用する綴じ処理が指定されていない場合は、ステップＳ１４０９に進む。ステップＳ１４０８ではＣＰＵ１１１は、自動選択の対象として設定された保持部に保持されたシートの種類を取得する。次に、ＣＰＵ１１１は、取得したシートの種類に基づいて、針を使用する綴じ処理が行えるシートであるか否かを判断する。保持部に保持されたシートが針を使用する綴じ処理が行える種類のシートであれば、当該シートが保持された保持部を後述するＡＰＳ処理の検索対象とする。図７に示した自動選択の対象を例にすると、厚紙１と厚紙２は針を使用する綴じ処理において綴じる事のできる種類のシートであるため、ＡＰＳ処理の検索対象の保持部は３つ目の保持部及び４つめの保持部となる。
【００８９】
一方、ステップＳ１４０９では、ＣＰＵ１１１は自動選択の対象として設定された全ての保持部をＡＰＳ処理の検索対象とする。図７に示した自動選択の対象を例とすると、３つ目の保持部と４つ目の保持部がＡＰＳ処理の検索対象となる。
【００９０】
次に、ステップＳ１４１１では、ＣＰＵ１１１は、検索対象の保持部に対して最適サイズに基づいたＡＰＳ処理を実行する。ＡＰＳ処理では、ＣＰＵ１１１は、選択対象の保持部に対して、ステップＳ１４０３で算出した最適サイズと同じサイズのシート且つ、自動選択の対象となるシートが保持されている場合に当該保持部を印刷で使用する保持部の候補とする。候補となる保持部が複数ある場合は、給送にかかる時間や、カセットに保持されたシートの量などに基づいて優先順位をつける。なお、ここで説明したＡＰＳ処理は一例であり、適宜変更することができる。例えば、最適サイズと近いサイズの保持部についても印刷で使用する候補として挙げるようにしてもよい。
【００９１】
ステップＳ１４１２では、ＣＰＵ１１１は、ステップＳ１４１１で印刷に使用する保持部の候補が見つかったか否かを判断する。保持部の候補が見つかった場合は、ステップＳ１４１３に進み、保持部の候補が見つからなかった場合は、ステップＳ１４１５に進む。ステップＳ１４１３では、ＣＰＵ１１１は優先順位の最も高い保持部を印刷に使用する保持部として選択してステップＳ１４１４に進む。ステップＳ１４１４では、ＣＰＵ１１１は印刷に関する処理が実行可能であることをコピージョブに設定し、ステップＳ１３０４に戻る。
【００９２】
一方、ステップＳ１４１５では、ＣＰＵ１１１は、印刷に関する処理が実行不可能であることをコピージョブに設定し、ステップＳ１３０４に戻る。
【００９３】
図１３の説明に戻り、ステップＳ１３０４では、ＣＰＵ１１１は、コピージョブが実行可能であるか否かを判断する。ＣＰＵ１１１は、コピージョブに印刷に関する処理が実行可能であることが設定されていれば、ステップＳ１３０７に進む。一方、コピージョブに印刷に関する処理が実行不可能であることが設定されていれば、ステップＳ１３０５に進む。
【００９４】
ステップＳ１３０５では、ＣＰＵ１１１は、パネル２０１に所定のメッセージを表示する。図１２はパネル２０１に表示される画面の一例を示すものである。情報１２０１は綴じ処理が行えないことをユーザに通知するための情報である。中止キー１２１６は、所定のメッセージを閉じる場合に使用するキーである。
【００９５】
図１３の説明に戻り、ステップＳ１３０６では、ＣＰＵ１１１は中止キー１２１６がタッチされたと判断するとジョブを中止し、印刷処理の実行を回避して処理を終了する。なお、中止キー１２１６が押下された場合にステップＳ１３０１に戻るようにしてもよい。この場合、図９（ａ）の「コピーできます」などの表示を、「設定変更が必要です」などの表示に変更することもできる。
【００９６】
一方、ステップＳ１３０７では、ＣＰＵ１１１は、読取部１１８及び印刷部１２０を制御して、コピージョブの設定に基づいたコピー処理を実行する。なお、ＣＰＵ１１１は、コピージョブに綴じ処理の指定がなされていれば、読取部１１８で読み取った画像を綴じ位置に応じて適宜回転して印刷する。
【００９７】
ステップＳ１３０８では、ＣＰＵ１１１は、コピージョブの設定に綴じ処理の指定がなされているか否かを判断する。いずれかの綴じ指定がなされていればステップＳ１３０９に進み、綴じ指定がなされていなければ、シート束を排出部３０７に排出して処理を終了する。ステップＳ１３０９では、ＣＰＵ１１１は、シート処理部１２２を制御し、綴じ指定に応じた綴じ処理を行う。次に、ＣＰＵ１１１は、綴じ処理が行われたシート束を排出部３０７に排出し、処理を終了する。
【００９８】
なお、本実施形態では、ステップＳ１３０２の判定の後にステップＳ１３０３の決定を行うようにしているが、これに限定されるものではない。例えば、読取部１１８に原稿がセットされたことを検知したタイミングや、ステップＳ１３０１でコピージョブの設定変更を受け付ける度にステップＳ１３０３の処理を行うようにしてもよい。
【００９９】
以上説明したように、本実施形態では、保持部を自動選択する場合に、ジョブに指定された綴じ処理で綴じる事ができるシートが保持された保持部をＡＰＳの検索対象の保持部とすることができる。従って、保持部を自動選択して印刷処理を行う場合に、綴じる事ができないシートが保持部から給送されることを防ぐことができる。
【０１００】
＜第２の実施形態＞
第１の実施形態では、ジョブに指定された綴じ処理で綴じる事ができるシートが保持された保持部をＡＰＳの検索対象の保持部とするように制御することを説明した。第２の実施形態では、自動選択の対象として設定された保持部に対するＡＰＳを行った後に、ジョブに指定された綴じ処理で綴じる事ができないシートが保持された保持部が選択されないように制御することについて説明する。
【０１０１】
なお、第２の実施形態において、前提となる装置のハードウェア構成は第１の実施形態と同様である。第１の実施形態と同様の構成については、詳細な説明は省略する。第２の実施形態では、第１の実施形態で説明した図１４のフローチャートに代えて、図１５に示すフローチャートを実行する。図１５に示すフローチャートの各動作（ステップ）は、ＣＰＵ１１１がＲＯＭ１１２又はストレージ１１４に記憶された制御プログラムをＲＡＭ１１３に読み出し、実行することにより実現される。
【０１０２】
ＣＰＵ１１１は、ユーザがホーム画面（不図示）を介してコピー機能が選択された場合に図１３のフローチャートを実行する。
【０１０３】
ステップＳ１３０１では、ＣＰＵ１１１は、パネル２０１を介してコピージョブの設定を受け付ける。ステップＳ１３０２では、ＣＰＵ１１１は、スタートボタンが押下された場合はステップＳ１３０３に進み、押下されない場合はステップＳ１３０１に戻る。ステップＳ１３０３では、ＣＰＵ１１１は印刷に使用する保持部を決定する。詳細は図１５のフローチャートを用いて説明する。
【０１０４】
ステップＳ１５０１乃至ステップＳ１５０３は第１の実施形態におけるステップＳ１４０１乃至ステップＳ１４０３と同様であるため省略する。
【０１０５】
ステップＳ１５０４では、ＣＰＵ１１１は、自動選択の対象として設定された保持部に対して最適サイズに基づいたＡＰＳ処理を実行する。ＡＰＳ処理における印刷に使用する保持部の候補の選定は、第１の実施形態におけるステップＳ１４１１と同様である。
【０１０６】
次に、ステップＳ１５０５では、ＣＰＵ１１１は、印刷に使用する保持部の候補があるか否かを判断する。候補となる保持部があれば、ステップＳ１５０６に進み、候補となる保持部がなければ、ステップＳ１５１５に進む。ステップＳ１５１５では、ＣＰＵ１１１は、印刷に関する処理が実行不可能であることをコピージョブに設定し、ステップＳ１３０４に戻る。
【０１０７】
一方、ステップＳ１５０６では、ＣＰＵ１１１は、コピージョブの設定として針を使用しない綴じ処理が指定されているか判断する。針を使用しない綴じ処理が指定されている場合は、ステップＳ１５０７に進み、針を使用しない綴じ処理が指定されていない場合はステップＳ１５１１に進む。ステップＳ１５０７では、ＣＰＵ１１１は、候補となる保持部の中から、優先順位の高い保持部に保持されているシートの種類を取得する。次に、ＣＰＵ１１１は、取得したシートの種類に基づいてシート情報データベースを参照し、針を使用しない綴じ処理が行えるシートであるか否かを判断する。保持部に保持されたシートが針を使用しない綴じ処理が行える種類のシートであれば、ステップＳ１５１６に進む。一方、保持部に保持されたシートが針を使用しない綴じ処理が行える種類のシートでなければ、当該保持部を保持部の候補から外し、ステップＳ１５０５に戻る。
【０１０８】
ステップＳ１５１６では、ＣＰＵ１１１は当該保持部を印刷に使用する保持部として選択してステップＳ１５１７に進む。ステップＳ１５１７では、ＣＰＵ１１１は印刷に関する処理が実行可能であることをコピージョブに設定し、ステップＳ１３０４に戻る。
【０１０９】
一方、ステップＳ１５１１では、ＣＰＵ１１１は、コピージョブの設定として針を使用する綴じ処理が指定されているか判断する。針を使用する綴じ処理が指定されている場合は、ステップＳ１５１２に進む。一方、針を使用する綴じ処理が指定されていない場合はステップＳ１５１６に進み、当該保持部を印刷に使用する保持部として選択する。
【０１１０】
ステップＳ１５１２では、ＣＰＵ１１１は、候補となる保持部の中から、優先順位の高い保持部に保持されているシートの種類を取得する。次にＣＰＵ１１１は、取得したシートの種類に基づいてシート情報データベースを参照し、針を使用する綴じ処理が行えるシートであるか否かを判断する。保持部に保持されたシートが針を使用する綴じ処理が行える種類のシートであれば、ステップＳ１５１６に進み、保持部に保持されたシートが針を使用する綴じ処理が行える種類のシートでなければ、当該保持部を保持部の候補から外し、ステップＳ１５０５に戻る。
【０１１１】
なお、ステップＳ１３０４以降の処理は第１の実施形態と同様であるため説明は省略する。
【０１１２】
このように、第２の実施形態では、保持部を自動選択した後に、ジョブに指定された綴じ処理で綴じる事ができるシートが保持された保持部が選択されないように制御することができる。従って、保持部を自動選択して印刷処理を行う場合に、綴じる事ができないシートが保持部から給送されることを防ぐことができる。
【０１１３】
＜その他の実施形態＞
第１及び第２の実施形態では、ＭＦＰ１０１が備えるコピー処理における保持部の自動選択の制御を例示したが、本発明はその他の機能における保持部の自動選択の制御にも適用できる。例えば、ＰＣ１０２などの情報処理装置から印刷データを受信して印刷処理を行うプリント処理、ストレージ１１４に格納された保存ファイルを印刷する場合の印刷制御、ＦＡＸやメールを受信して印刷処理を行う受信処理などにも適用することができる。
【０１１４】
プリント処理に適用する場合は、ＣＰＵ１１１は、印刷データを解析して得られた印刷属性情報（印刷設定）に基づいて図１３のステップＳ１３０３以降の保持部の決定制御を実行すればよい。なお、ＰＣ１０２では、プリンタドライバを介してシートの種類を指定した印刷データを送信する場合と、シートの種類を指定せずに印刷データを送信する場合がある。従って、ステップＳ１４１１及びステップＳ１５０４では、ＣＰＵ１１１は、印刷設定としてシートの種類が指定されている場合は、当該印刷設定として指定されたシートが保持された保持部を保持部の候補として検索するように制御する。一方、印刷設定としてシートの種類が指定されていない場合は、予めＭＦＰ１０１に記憶されたプリント処理におけるＡＰＳの対象とするシートの種類に基づいて保持部の候補を検索するように制御する。
【０１１５】
また、受信処理に適用する場合は、受信処理時の印刷設定に基づいてステップＳ１３０３以降の保持部の決定制御を実行すればよい。
【０１１６】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１７】
１０１  ＭＦＰ
１１１  ＣＰＵ
１２０  印刷部
１２２  シート処理部
３１４ａ  針使用
３１４ｂ  針不使用
【図１】
2019085270.tif 000003
【図２】
2019085270.tif 000004
【図３】
2019085270.tif 000005
【図４】
2019085270.tif 000006
【図５】
2019085270.tif 000007
【図６】
2019085270.tif 000008
【図７】
2019085270.tif 000009
【図８】
2019085270.tif 000010
【図９】
2019085270.tif 000011
【図１０】
2019085270.tif 000012
【図１１】
2019085270.tif 000013
【図１２】
2019085270.tif 000014
【図１３】
2019085270.tif 000015
【図１４】
2019085270.tif 000016
【図１５】
2019085270.tif 000017
【手続補正書】
【提出日】平成31年3月23日(2019.3.23)
【手続補正１】
【補正対象書類名】特許請求の範囲
【補正対象項目名】全文
【補正方法】変更
【補正の内容】
【特許請求の範囲】
【請求項１】
複数の給紙カセットと、
前記給紙カセットから給送された用紙に画像を形成する画像形成手段と、
前記画像形成手段により画像が形成された複数の用紙に対して、針を使用して綴じる第１の綴じ処理を実行する第１の綴じ手段と、
前記画像形成手段により画像が形成された複数の用紙に対して、針を使用せずに、上下方向に圧力をかけて密着させて綴じる第２の綴じ処理を実行する第２の綴じ手段と、
前記画像形成手段により画像形成が行われる用紙の給紙元として前記複数の給紙カセットの１つを選択する選択手段と、
前記選択手段により選択された給紙カセットから給送された用紙に画像を形成する画像形成ジョブの実行を制御する制御手段と、を有し、
前記複数の給紙カセットのうちの第１の給紙カセットには、前記第１の綴じ処理は可能だが前記第２の綴じ処理は不可である第１種類の用紙が収納されており、
前記複数の給紙カセットのうちの第２の給紙カセットには、前記第１の綴じ処理と前記第２の綴じ処理の両方が可能な種類の用紙が収納されている場合において、
前記制御手段は、
前記第１の綴じ処理の実行が指定された場合、前記第１の給紙カセットが給紙元として選択される画像形成ジョブ、及び、前記第２の給紙カセットが給紙元として選択される画像形成ジョブの実行を許可し、
前記第２の綴じ処理の実行が指定された場合、前記第２の給紙カセットが給紙元として選択される画像形成ジョブの実行を許可する一方で、前記第１の給紙カセットが給紙元として選択される画像形成ジョブは実行されないように制御することを特徴とする画像形成装置。
【請求項２】
前記選択手段は、前記画像形成ジョブにおいて指定されている印刷物の出力サイズと同一サイズの用紙が収納されているカセットを自動的に用紙の給紙元として選択することを特徴とする請求項１に記載の画像形成装置。
【請求項３】
前記選択手段は、表示部に表示される操作画面を介してユーザにより指定された給紙カセットを選択することを特徴とする請求項１に記載の画像形成装置。
【請求項４】
前記第１種類の用紙は、前記第２種類の用紙よりも坪量が小さい用紙であることを特徴とする請求項１乃至３の何れか１項に記載の画像形成装置。
【請求項５】
前記第１種類の用紙は、薄紙であることを特徴とする請求項１乃至３の何れか１項に記載の画像形成装置。
【請求項６】
前記第１種類の用紙は、普通紙であることを特徴とする請求項１乃至３の何れか１項に記載の画像形成装置。
【請求項７】
前記第２種類の用紙は、厚紙であることを特徴とする請求項１乃至３の何れか１項に記載の画像形成装置。
【請求項８】
前記第２種類の用紙は、ラベル紙であることを特徴とする請求項１乃至３の何れか１項に記載の画像形成装置。
【請求項９】
前記画像形成ジョブは、コピージョブであることを特徴とする請求項１乃至８の何れか１項に記載の画像形成装置。
【請求項１０】
前記制御手段は、前記第２の綴じ処理の実行が指定され、且つ、前記第１の給紙カセットが給紙元として選択された場合、画像形成を開始する前に、所定のメッセージを表示部に表示することを特徴とする請求項１乃至９の何れか１項に記載の画像形成装置。
【手続補正２】
【補正対象書類名】明細書
【補正対象項目名】００１０
【補正方法】変更
【補正の内容】
【００１０】
本発明は、上記の問題点に鑑みなされたものであり、シートを保持する複数のシート保持部から指定された綴じ処理に応じて適切なシート保持部を選択してシート給送が行われるようにすることを目的とする。
【手続補正３】
【補正対象書類名】明細書
【補正対象項目名】００１１
【補正方法】変更
【補正の内容】
【００１１】
上記の目的を達成するために本発明の画像形成装置は、複数の給紙カセットと、前記給紙カセットから給送された用紙に画像を形成する画像形成手段と、前記画像形成手段により画像が形成された複数の用紙に対して、針を使用して綴じる第１の綴じ処理を実行する第１の綴じ手段と、前記画像形成手段により画像が形成された複数の用紙に対して、針を使用せずに、上下方向に圧力をかけて密着させて綴じる第２の綴じ処理を実行する第２の綴じ手段と、前記画像形成手段により画像形成が行われる用紙の給紙元として前記複数の給紙カセットの１つを選択する選択手段と、前記選択手段により選択された給紙カセットから給送された用紙に画像を形成する画像形成ジョブの実行を制御する制御手段と、を有し、前記複数の給紙カセットのうちの第１の給紙カセットには、前記第１の綴じ処理は可能だが前記第２の綴じ処理は不可である第１種類の用紙が収納されており、前記複数の給紙カセットのうちの第２の給紙カセットには、前記第１の綴じ処理と前記第２の綴じ処理の両方が可能な種類の用紙が収納されている場合において、前記制御手段は、前記第１の綴じ処理の実行が指定された場合、前記第１の給紙カセットが給紙元として選択される画像形成ジョブ、及び、前記第２の給紙カセットが給紙元として選択される画像形成ジョブの実行を許可し、前記第２の綴じ処理の実行が指定された場合、前記第２の給紙カセットが給紙元として選択される画像形成ジョブの実行を許可する一方で、前記第１の給紙カセットが給紙元として選択される画像形成ジョブは実行されないように制御することを特徴とする。
【手続補正４】
【補正対象書類名】明細書
【補正対象項目名】００１２
【補正方法】変更
【補正の内容】
【００１２】
本発明によれば、シートを保持する複数のシート保持部から指定された綴じ処理に応じて適切なシート保持部を選択してシート給送が行われるようになる。